(57)【要約】【課題】  タイマー予約によって運転開始時刻を設定したときにも、被空調室内の換気を可能とすると共に、設定時刻に合わせた被空調室内の空調を可能とする。【解決手段】  エアコンでは、タイマー予約が設定されている入りタイマーであるか否かを確認し、入りタイマーであるときには、設定時刻に合わせて空調運転を開始する（ステップ２００〜ステップ２１２）。また、入りタイマー予約がなされれているときに、タイムアップするまでは、換気、空清運転中か否かを確認し、換気又は空清運転中であれば、換気又は空清運転を継続する（ステップ２１４、２１６）。これにより、入りタイマー予約を行っているときにも、被空調室内の換気が可能となると共に、タイマー予約にあわせて的確に被空調室内の空調を行うことができる。【選択図】        図９
2005233539.tif 000002
【特許請求の範囲】
【請求項１】
冷凍サイクルを用いて温調した空気を被空調室内へ吹出して被空調室内の空気調和を図る空調手段と、
前記被空調室内の換気を図る換気手段と、
前記空調手段及び前記換気手段を用いた運転条件の設定と共に運転開始時刻ないし運転終了時刻を設定するタイマー予約手段と、
前記タイマー予約手段の設定に基づいて前記空調手段及び前記換気手段の運転開始又は運転終了を制御する予約制御手段と、
を含む空気調和機であって、
前記予約制御手段が、前記タイマー予約手段によって運転開始時刻が設定されているときに、該運転開始時刻まで前記空調手段の作動を停止すると共に、タイマー予約手段の設定にかかわらず前記換気手段の作動を可能としていることを特徴とする空気調和機。
【請求項２】
前記予約制御手段が、前記タイマー予約手段の運転終了時刻にあわせて、前記空調手段と共に前記換気手段を停止することを特徴とする請求項１に記載の空気調和機。
【請求項３】
被空調室内の浮遊物を除去して空気の清浄化を図る空清手段を含むときに、
前記予約制御手段が、前記換気手段と共に前記空清手段を一体で制御することを特徴とする請求項１又は請求項２に記載の空気調和機。
【発明の詳細な説明】
【技術分野】
【０００１】
本発明は、室内ユニットが設けられた被空調室内の空気調和を図る空気調和機に関する。
【背景技術】
【０００２】
被空調室内の空気調和を図る空気調和機（以下、エアコンとする）では、例えば、被空調室内に設置する室内ユニットの熱交換器と、屋外に設置する室外ユニットのコンプレッサーの間に、冷媒を循環する冷凍サイクルが形成されている。室内ユニットでは、被空調室内の空気を吸引し、熱交換器を通して吸引した空気を被空調室内へ吹出す。この空気が熱交換器を通るときに、冷凍サイクルを循環される冷媒との間で熱交換が行われることにより温調されて、被空調室内へ吹出される。
【０００３】
また、このようなエアコンでは、タイマー機能が設けられており、予めタイマー設定を行うことにより、被空調室内が設定した時刻までに、所望の空調状態となるように空調運転を実行する。このようなタイマー機能を設けることにより、例えば、帰宅したときに、被空調室内を快適な空調状態とすることができる。
【０００４】
このようなタイマー予約機能を用いるときには、リモコンスイッチによって設定操作を行うが、このときに、タイマー予約を行うときの操作性の向上を図る提案もなされている（例えば、特許文献１参照。）。
【０００５】
ところで、近年、被空調室内の空気清浄化が望まれており、ここから、換気ユニットを設けたエアコンが普及しつつある。このようなエアコンでは、換気ファンと共に給排気用の換気ダクトが設けられ、換気ファンによってダクトを介して室内ユニットに外気を吸引して、吸引した外気を被空調室内に吹出すときに、熱交換器を通すことにより温調する。また、室内ユニットに吸引した被空調室内の空気を、熱交換器を通過させずに換気ファンによってダクトへ送り込んで屋外へ排出するようにしている。
【０００６】
また、換気ユニットを設けたエアコンでは、空調運転を停止した状態であっても、換気ユニットのみを作動させることができる。
【０００７】
これにより、例えば、換気ユニットを作動させて外出することにより、帰宅時に、被空調室内の空気の清浄化を図ることが可能となる。
【特許文献１】特開平８−１４９５７２号公報
【発明の開示】
【発明が解決しようとする課題】
【０００８】
しかしながら、従来のエアコンでは、赤外線等によるワイヤレス方式のリモコンスイッチが一般的であり、空調開始時刻を設定してタイマーをセット（入りタイマーをセット）すると、設定した時刻に所望の空調状態とすることができるが、空調運転を開始するまでは、換気機能も停止してしまう。
【０００９】
また、タイマー運転を設定した状態で、換気運転を行うと、タイマーの予約設定が失われてしまうことがあり、このために、タイマー設定を行ったにもかかわらず、タイマー機能が働かなくなってしまい、設定した時刻に所望の空調状態が得られなくなるという問題がある。
【００１０】
本発明は上記事実に鑑みてなされたものであり、換気機能を備えた空気調和機において、タイマー予約を行うときにも、その空調機能と共に換気機能を十分に働かせて、被空調室内を所望の空調状態及び換気状態とすることができる空気調和機を提案することを目的とする。
【課題を解決するための手段】
【００１１】
上記目的を達成するために本発明は、冷凍サイクルを用いて温調した空気を被空調室内へ吹出して被空調室内の空気調和を図る空調手段と、前記被空調室内の換気を図る換気手段と、前記空調手段及び前記換気手段を用いた運転条件の設定と共に運転開始時刻ないし運転終了時刻を設定するタイマー予約手段と、前記タイマー予約手段の設定に基づいて前記空調手段及び前記換気手段の運転開始又は運転終了を制御する予約制御手段と、を含む空気調和機であって、前記予約制御手段が、前記タイマー予約手段によって運転開始時刻が設定されているときに、該運転開始時刻まで前記空調手段の作動を停止すると共に、タイマー予約手段の設定にかかわらず前記換気手段の作動を可能としていることを特徴とする。
【００１２】
この発明によれば、タイマー予約手段によって運転終了時が設定（切りタイマー予約）されていることにより、設定された時刻に合わせて被空調室内の空調を停止することができ、運転開始時刻が設定（入りタイマー予約）されているときには、予約時刻にあわせて空調手段を作動させて、被空調室内の空気調和を図ることができる。
【００１３】
また、予約制御手段は、運転開始時刻が設定された入りタイマー予約がなされているときには、設定時刻まで空調手段を停止するが、換気手段の作動を可能としている。
【００１４】
これにより、入りタイマー予約を行ったときにも、被空調室の換気が可能となるので、入りタイマー予約の設定が失われることなく、入りタイマー予約によって被空調室内をより快適な空調状態とすることができる。
【００１５】
また、請求項２の発明は、前記予約制御手段が、前記タイマー予約手段の運転終了時刻にあわせて、前記空調手段と共に前記換気手段を停止することを特徴とする。
【００１６】
この発明によれば、運転終了時刻が設定された切りタイマー予約がなされているときには、この設定時刻に合わせて空調手段と共に換気手段を停止する。
【００１７】
これにより、不必要に換気手段が作動し続けるのを確実に防止することができる。
【００１８】
このような本発明においては、被空調室内の浮遊物を除去して空気の清浄化を図る空清手段を含むときに、前記予約制御手段が、前記換気手段と共に前記空清手段を一体で制御することが好ましい。すなわち、コンプレッサ−が運転されているか否かに関わらず作動される空清手段が設けられているときには、換気手段と空清手段のそれぞれ、運転開始時刻の設定にかかわらず運転可能としている。
【００１９】
このようなタイマー予約手段としては、ワイヤレス方式のリモコンスイッチを用いることができる。このときには、予約制御手段をリモコンスイッチに設けても良く、また、室内ユニットに設けても良い。
【発明の効果】
【００２０】
以上説明したように本発明によれば、運転開始時刻が設定されているときには、設定時刻までは空調手段を停止するが、換気手段を作動可能とすることにより、タイマー予約が設定されていても被空調室内の換気が可能となると共に、タイマー予約の設定が失われることがないので、被空調室内を快適な空調状態とすることができるという優れた効果が得られる。
【発明を実施するための最良の形態】
【００２１】
以下に、図面を参照しながら本発明の実施の一形態を説明する。図１には、本実施の形態に適用した空気調和機（以下、「エアコン１０」とする）を示している。このエアコン１０は、被空調室内に設置される室内ユニット１２と、屋外に設置される室外ユニット１４と、によって構成されている。
【００２２】
なお、本発明が適用される空気調和機としては、太陽エネルギーによって発電した電力を所定の電圧の電力に変換して出力する太陽光発電装置を接続したものであっても良い。このときには、太陽光発電装置の作動を室外ユニット１４に設けるマイコンによって制御して、発電電力を室外ユニット１４又は室内ユニット１２と室外ユニット１４に供給し、この電力を用いて空調運転等を行うものであっても良い。
【００２３】
図２に示すように、室内ユニット１２と室外ユニット１４の間は、太管の冷媒配管１６Ａと、細管の冷媒配管１６Ｂとによって接続されている。また、室内ユニット１２には、熱交換器１８が設けられており、冷媒配管１６Ａ、１６Ｂのそれぞれが熱交換器１８に接続されている。
【００２４】
室外ユニット１４には、バルブ２０Ａ、２０Ｂが設けられ、冷媒配管１６Ａがバルブ２０Ａに接続し、冷媒配管１６Ｂがバルブ２０Ｂに接続している。バルブ２０Ａには、マフラ２２Ａを介して四方弁２４が接続している。
【００２５】
また、室外ユニット１４には、コンプレッサー２６、熱交換器２８が設けられており、コンプレッサー２６に接続しているアキュムレータ３０及びマフラー２２Ｂのそれぞれが、四方弁２４に接続していると共に、熱交換器２８の一端が四方弁２４に接続している。
【００２６】
さらに、熱交換器２８の他端は、キャピラリチューブ３２、ストレーナ３４、電動膨張弁３６及びモジュレータ３８を介してバルブ２０Ｂに接続している。
【００２７】
これにより、エアコン１０では、室内ユニット１２と室外ユニット１４の間に、冷媒を循環する冷凍サイクルが形成されている。なお、この冷凍サイクルは一例を示すものであり、空気調和機の構成を限定するものではない。
【００２８】
エアコン１０では、四方弁２４の切換えによって暖房モードでの運転又はドライモード（除湿モード）を含む冷房モードでの運転が可能となっている。なお、図２では、矢印で冷房モード、暖房モードでの冷媒の流れを示している。
【００２９】
図３（Ａ）、図３（Ｂ）、図４（Ａ）及び図４（Ｂ）に示すように、室内ユニット１２には、ケーシング１２Ａ内にクロスフローファン４０が設けられており、このクロスフローファン４０の上方側の周囲を囲うように熱交換器１８が配置されている。
【００３０】
これにより、クロスフローファン４０が作動して、ケーシング１２の上方側の面に形成されている吸い込み口４２からケーシング１２Ａ内に被空調室内の空気が吸引される。ケーシング１２Ａ内に吸引された空気は、熱交換器１８を通過して、吹出し口４４から被空調室内に吹出される。このとき、吹出し口４４から吹出される空気が熱交換器１８を通るときに、冷凍サイクルを循環される冷媒との間で熱交換が行われ、温調された空気として被空調室内へ吹出されて、被空調室内の温調が図られる。
【００３１】
一方、図３（Ａ）、図４（Ａ）及び図４（Ｂ）に示すように、エアコン１０には、室内ユニット１２に換気ユニットを形成する換気ファン４６が設けられている。図４（Ａ）及び図４（Ｂ）に示すように、エアコン１０は、室内ユニット１２が被空調室の屋外側の壁４８に取り付けられる所謂壁掛けタイプとなっている。図３（Ｂ）に示すように、室内ユニット１２の冷媒配管１６（冷媒配管１６Ａ、１６Ｂ）は、断熱材が巻かれ、ドレインパイプ５０等と共にこの壁４８を貫通して屋外に引き出される。なお、図３（Ｂ）では、壁４８の図示を省略している。
【００３２】
図３（Ａ）、図４（Ａ）及び図４（Ｂ）に示すように、換気ファン４６は、熱交換器１８に対向して配置されている。この換気ファン４６には、換気ダクト５２の一端が接続している。図３（Ａ）、図３（Ｂ）、図４（Ａ）及び図４（Ｂ）に示すように、換気ダクト５２の他端には、換気チューブ５２Ａが接続している。
【００３３】
図３（Ｂ）、図４（Ａ）及び図４（Ｂ）に示すように、この換気チューブ５２Ａは、室内ユニット１２の壁４８側に引き回され、冷媒配管１６と共に壁４８を貫通して屋外に向けられている。また、壁４８には、屋外側にベントキャップ５４が設けられており、換気チューブ５２Ａは、このベントキャップ５４に連結されて、屋外と連通されている。
【００３４】
これにより、エアコン１０では、室内ユニット１２に設けている換気ファン４６が作動することにより、屋外の空気を吸引可能となっていると共に、被空調室内の空気を屋外に排気可能となっている。なお、以下では、換気ダクト５２と換気チューブ５２Ａを含めて換気ダクト５２として説明する。また、図４（Ａ）及び図４（Ｂ）では、矢印で室内ユニット１２での空気の流れを示している。
【００３５】
図４（Ａ）及び図４（Ｂ）に示すように、換気ファン４６には、熱交換器１８側に対向するシャッター５６Ａと、被空調室側のシャッター５６Ｂとが設けられている。エアコン１０では、換気モードとして、屋外の新鮮な空気を吸引する吸気モードと、被空調室内の空気を屋外へ排出する排気モードと、が設定されており、換気モードによって、例えば、換気ファン４６の吸引方向と、シャッター５６Ａ、５６Ｂの作動が切換えられる。
【００３６】
すなわち、図4（Ａ）に示すように、吸気モードでは、シャッター５６Ｂを閉じて、換気ファン４６を駆動する。これにより、屋外の新鮮な空気がベントキャップ５４から換気ダクト５２内に吸引される。このとき、熱交換器１８側のシャッター５６Ａが開かれており、換気ダクト５２内に吸引された新鮮な外気が、換気ファン４６から熱交換器１８へ向けて吹出される。
【００３７】
これにより、新鮮な外気が被空調室内に供給され、空調運転中であれば冷媒との間で熱交換されて温調された空気として被空調室内に吹出される。なお、熱交換器１８と換気ファン４６の間には、フィルタ５８が設けられており、これにより、外気中の花粉等の浮遊物が除去されて浄化された新鮮な外気を被空調室内に供給可能となるようにしている。
【００３８】
また、図４（Ｂ）に示すように、排気モードでは、熱交換器１８側のシャッター５６Ａを閉じて、ケーシング１２の吸い込み口４２側のシャッター５６Ｂを開いて換気ファン４６を駆動する。
【００３９】
これにより、被空調室内の空気が、換気ファン４６によって吸引されて、換気ダクト５２へ送り込まれ、ベントキャップ５４から屋外に排出される。すなわち、被空調室内のにおい、ＣＯ2、ＶＯＣ等が換気ファン４６によってベントキャップ５４から屋外に排出される。
【００４０】
図５には、室内ユニット１２に設けられている制御部６０の概略構成を示している。制御部６０には、電源基板６２、パワーリレー基板６４と共にコントロール基板６６が設けられている。電源基板６２は、モータ電源６８、制御回路電源７０及びシリアル電源７２を備えており、エアコン１０を運転するための電力がそれぞれに供給される。
【００４１】
また、電源基板６２には、駆動回路７４が設けられており、この駆動回路７４に、クロスフローファン４０を作動するファンモータ４０Ａが接続している。
【００４２】
コントロール基板６６には、シリアル回路７６、駆動回路７８と共に、エアコン１０の作動を制御するマイクロコンピュータ（マイコン８０）が設けられており、制御回路電源７０からコントロール基板６６に作動用の電力が供給される。
【００４３】
コントロール基板６６に設けているマイコン８０は、クロスフローファン４０の制御信号を、電源基板６２の駆動回路７４へ出力する。これにより、駆動回路７４は、マイコン８０から入力される制御信号に基づいて、モータ電源６８から供給される電力をファンモータ４０Ａへ供給して駆動する。このとき、マイコン８０は、駆動回路７４からの出力電圧を、例えば１２Ｖ〜３６Ｖの間で変化させるように制御して、室内ユニット１２の吹出し口４４から吹出す空調風の風量を制御している。
【００４４】
コントロール基板６６の駆動回路７８には、パワーリレー基板６４が接続している。パワーリレー基板６４には、パワーリレー８２及び温度ヒューズ等が設けられており、駆動回路７８は、マイコン８０からの信号に基づいてパワーリレー８２を操作する。これにより、室内ユニット１２から室外ユニット１４へ電力を供給する接点８２Ａが開閉される。
【００４５】
エアコン１０では、このパワーリレー８２の接点８２Ａが閉じられることにより室外ユニット１４へ電力が供給され、室外ユニット１４が作動可能となる。
【００４６】
なお、エアコン１０では、空調運転を行うときに、室外ユニット１４へ作動用の電力を供給するが、太陽光発電装置が接続されているときには、空調運転を停止していても、換気運転（換気ファン４６の駆動）等を行っているときには、パワーリレー８２の接点８２Ａを閉じて、室外ユニット１４を作動可能とし、室外ユニット１４に設けているマイコンによって太陽光発電装置の作動を制御し、太陽光発電装置によって発電した電力を用いた換気運転が可能となるようにしている。
【００４７】
室内ユニット１２には、吹出し口４４に上下フラップ左右フラップが設けられており、この上下フラップ及び左右フラップによって空調風の吹出し方向を制御可能となっており、駆動回路７８には、上下フラップ及び左右フラップを駆動するフラップモータ８４Ａ、８４Ｂが接続しており、駆動回路７８はマイコン８０からの制御信号に基づいてフラップモータ８４Ａ、８４Ｂを駆動する。
【００４８】
エアコン１０では、このフラップモータ８４Ａ、８４Ｂの駆動によって所望（任意）の方向へ向けて空調風を吹出すことができるようになっている。すなわち、マイコン８０は、ファンモータ４０Ａと共にフラップモータ８４Ａ、８４Ｂの駆動を制御することにより、空調風の風量と共に吹出し方向を制御して、被空調室内を所望の空調状態とするようになっている。
【００４９】
シリアル回路７６は、電源基板６２のシリアル電源７２に接続し、また、シリアル回路７６は、シリアル電源７２と共に、室外ユニット１４に接続されるようになっている。マイコン８０は、このシリアル回路７６を介して、室外ユニット１４に設けている図示しないマイコンに接続され、シリアル通信によって室外ユニット１４の作動を制御する。
【００５０】
このときに、マイコン８０は、エアコン１０の運転モード（暖房モードと除湿モード又は冷房モード）に基づいて、四方弁２４の切換えを制御すると共に、必要な空調能力に基づいてコンプレッサー２６の運転周波数の制御等を行う。
【００５１】
また、室内ユニット１２には、表示基板８６が設けられている。この表示基板８６には、表示ＬＥＤ８８と共に送受信回路９０が設けられており、この表示基板８６がマイコン８０に接続している。
【００５２】
エアコン１０は、リモコンスイッチ１００（図１参照）の操作によって運転／停止と共に各種の運転条件の設定が可能となっている。送受信回路９０は、リモコンスイッチ１００との間で、例えば赤外線等を用いた無線（ワイヤレス）方式で、通信を行う。このとき、送受信回路９０では、リモコンスイッチ１００から送信される操作信号を受信して、マイコン８０へ出力する。
【００５３】
これにより、エアコン１０では、リモコンスイッチ１００の操作に応じた空調運転の制御が可能となっている。このとき、マイコン８０は、エアコン１０の運転状態に応じて表示ＬＥＤ８８を点灯するようになっており、この表示ＬＥＤ８８の点灯状態からエアコン１０の運転／停止、運転モード等が明示される。
【００５４】
また、リモコンスイッチ１００に室温センサが設けられているときには、この室温センサによって検出される室温がリモコンスイッチ１００から送信されると、マイコン８０は、この室温に基づいた空調運転の制御を行うようになっている。
【００５５】
なお、室内ユニット１２には、室温センサ９２、熱交温度センサ９４等の各種のセンサが設けられており、これらがマイコン８０に接続しており、マイコン８０は、これらのセンサの検出するエアコン１０の運転状態、被空調室内の空調状態に基づいた空調運転が可能となっている。
【００５６】
また、マイコン８０は、リモコンスイッチ１００からの要求に応じて、各種の運転情報を、送受信回路９０からリモコンスイッチ１００へ向けて送信可能となっており、リモコンスイッチ１００では、送受信回路９０から送信された情報を表示可能となっている。
【００５７】
このようなコントロール基板６６には、運転切換えスイッチ９６及びサービスＬＥＤ９８が設けられている。運転切換えスイッチ９６は、通常運転とメンテナンス等を行うときの試験運転との切換え用であると共に、運転切換えスイッチ９６の操作によって電源スイッチ９６Ａの接点開閉が行われる。
【００５８】
すなわち、運転切換えスイッチ９６では、「通常運転」、「試験運転」又は、電源スイッチ９６Ａの接点を開いて室内ユニット１２への電力の供給を遮断する「停止」に切換え可能となっており、エアコン１０は、「通常運転」位置となった状態で運転される。
【００５９】
なお、サービスＬＥＤ９８は、メンテナンス等を行うときにサービスマンが点灯操作を行うことにより、マイコン８０が自己診断結果に応じて点灯、点灯状態の制御を行うようになっており、これにより、エアコン１０の故障や故障履歴等の確認が容易となるようにしている。
【００６０】
一方、図６（Ａ）及び図６（Ｂ）には、エアコン１０に設けられるリモコンスイッチ１００の一例を示している。なお、図６（Ａ）に示すように、リモコンスイッチ１００には、操作カバー１０２が設けられており、図６（Ｂ）は操作カバー１０２を開いた状態を示している。
【００６１】
リモコンスイッチ１００には、液晶ディスプレイ（以下、ディスプレイ１０４とする）が設けられており、このディスプレイ１０４に室温、運転モード等の各種の表示がなされる。また、ディスプレイ１０４の下部の表示エリア１０６には、リモコンスイッチ１００の操作に応じた各種の表示がなされる。なお、図６（Ｂ）は、ディスプレイ１０４上の主なアイコンを表示した状態を示し、図６（Ａ）には、自動モードで冷房運転に設定された状態と室温を示している。また、図６（Ａ）及び図６（Ｂ）の何れも、表示エリア１０６は非表示状態としている。
【００６２】
このリモコンスイッチ１００には、運転／停止ボタン１０８が設けられており、この運転／停止ボタン１０８の操作によってエアコン１０の運転／停止の指示が可能となっている。
【００６３】
また、リモコンスイッチ１００には、換気ボタン１１０及び除湿ボタン１１２が設けられており、換気ボタン１１０が操作されることにより、換気モードでの運転／停止を設定することができ、除湿ボタン１１２を操作することにより、除湿モードの設定が可能となっている。なお、除湿モードには、例えば「標準除湿」、「強力除湿」、「ソフト除湿」及び「ランドリー」の設定が可能となっており、除湿ボタン１１２を押下することにより、除湿モードが順に切り換わる。
【００６４】
図６（Ａ）に示すように、リモコンスイッチ１００には、操作カバー１０２に、簡易タイマーボタン１１４、ＵＶ空清ボタン１１６、おしえてボタン１１８及び温度設定を行うときのアップボタン１２０Ａとダウンボタン１２０Ｂが設けられており、操作カバー１０２を閉じることによりこれらの操作が可能となる。
【００６５】
リモコンスイッチ１００では、アップボタン１２０Ａないしダウンボタン１２０Ｂが操作されることにより、ディスプレイ１０４の表示エリア１０６に、アップボタン１２０Ａないしダウンボタン１２０Ｂの操作に応じた設定温度の表示がなされる。このとき、アップボタン１２０Ａを操作することにより、表示される設定温度が上げられ、ダウンボタン１２０Ｂを操作することにより設定温度が下げられる。また、自動モードでは、予め設定されている標準温度に対するアップ設定又はダウン設定が表示される。
【００６６】
簡易タイマーボタン１４は、エアコン１０の運転時間を「１時間」、「２時間」、「３時間」又は「５時間」に選択して設定することができる。
【００６７】
また、図３（Ａ）に示すように、エアコン１０の室内ユニット１２には、熱交換器１８に対向する取付け枠１２２に、換気ファン４６と共にＵＶユニット１２４及び空清フィルタ１２６が取付けられており、ＵＶユニット１２４及び空清フィルタ１２６を用いることにより、被空調室内の空気の除菌、塵や埃、匂い等を発する粒子の除去が可能となっている。
【００６８】
図６（Ａ）に示すように、ＵＶ空清ボタン１１６は、ＵＶユニット１２４及び空清フィルタ１２６を用いた空清運転の運転／停止を設定する。
【００６９】
リモコンスイッチ１００では、おしえてボタン１１８が操作されることにより、室内ユニット１２のマイコン８０（図５参照）に、被空調室内の空調状態の出力を要求する。室内ユニット１２のマイコン８０は、各種のセンサを用いて被空調室内の空調状態を検出しており、要求に応じて空調状態を送受信回路９０から送信する。
【００７０】
リモコンスイッチ１００では、室内ユニット１２から送信された空調状態の情報を受信すると、受信内容をディスプレイ１０４の表示エリア１０６に表示する。これにより、リモコンスイッチ１００上で、被空調室内の空調状態を的確に、かつ簡単に確認できるようにしている。
【００７１】
一方、図６（Ｂ）に示すように、リモコンスイッチ１００には、操作カバー１０２内に、運転モードの切換えを行う運転切換えボタン１２８、換気モードの切換えを行う換気切換えボタン１３０、風量の切換えを行う風量ボタン１３２、吹出し風の風向を左右方向に切換える風向ボタン１３４及び吹出し風の風向を上下方向に切換える風向ボタン１３６が設けられている。
【００７２】
エアコン１０では、運転切換えボタン１２８が操作されることにより、運転モードを、自動モード、冷房モード、暖房モード、空清モード、除湿モードに切換え、換気切換えボタン１３０が操作されることにより、換気モードを、吸気モードと排気モードの間で切換える。なお、選択されたモードは、リモコンスイッチ１００のディスプレイ１０４（表示エリア１０６）に表示される。
【００７３】
なお、自動モード、冷房モード、除湿モード及び暖房モードでは、コンプレッサ２６を運転して、冷媒を循環させるよになっているが、空清モードでは、コンプレッサ２６を停止し、クロスフローファン４０を低回転（例えば６００rpm程度）で駆動しながら、吹出し口４４を開いて、空清フィルタ１２６を通過した空気を微風で吹出すようにしている。
【００７４】
リモコンスイッチ１００では、風量ボタン１３２の操作によって吹出し風の風量を自動又は複数段階の何れかに設定可能となっており、風向ボタン１３４の操作によって上下方向の風向を自動、スイング又は上下方向に沿って複数段階に設定された何れかに設定可能となり、風向ボタン１３６の操作によって左右方向の風向を自動、スイング又は左右方向に沿って複数段階に設定された何れかに設定可能となっている。
【００７５】
エアコン１０では、これらの各種ボタンの操作によって被空調室内が所望の空調状態となるように設定することができる。なお、風量ボタン１３２、風向ボタン１３４，１３６の操作したときに、風量、風向がディスプレイ１０４の表示エリア１０６に所定時間表示される。
【００７６】
ところで、エアコン１０はタイマー機能を備えている。図６（Ｂ）に示すように、リモコンスイッチ１００には、時計ボタン１３８を備えており、この時計ボタン１３８を操作する時刻の設定が可能となっている。リモコンスイッチ１００では、時刻が設定されることにより、ディスプレイ１０４の表示エリア１０６に、現在時刻を表示する。
【００７７】
また、リモコンスイッチ１００には、入りタイマーボタン１４０及び切りタイマーボタン１５０が設けられており、入りタイマーボタン１４０及び切りタイマーボタン１４２の操作によってタイマー機能を設定することができる。なお、リモコンスイッチ１００には、取消しボタン１４４及び毎日ボタン１４６が設けられており、取消しボタン１４４を押下操作することによりタイマー設定を取り消すことができ、毎日ボタンを操作することにより、１回のみの設定か毎日の設定かを切り替えることができる。なお、取消しボタン１４４、毎日ボタン１４６を操作したときの設定結果は、ディスプレイ１０４の表示エリア１０６に所定時間表示される。
【００７８】
リモコンスイッチ１００では、入りタイマーボタン１４０又は切りタイマーボタン１４２が操作されることにより、入りタイマー又は切りタイマーの設定時刻を、ディスプレイ１０４の表示エリア１０６に表示する。
【００７９】
また、リモコンスイッチ１００では、入りタイマーボタン１０４及び切りタイマーボタン１０６のそれぞれが、設定時刻のアップボタンとダウンボタンの機能を備えており、上側を操作するとディスプレイ１０４の表示エリア１０６に表示される設定時刻が段階的に進められ、下側を操作すると表示される設定時刻が段階的に戻される。
【００８０】
これにより、リモコンスイッチ１００では、予め設定された時間間隔（例えば１０分刻み）で所望の時刻に設定することができる。
【００８１】
エアコン１０では、切りタイマーがセットされることにより、設定時刻に空調運転を停止し、入りタイマーがセットされることにより、設定時刻に、被空調室内が設定された空調状態となるように空調運転を開始する。
【００８２】
エアコン１０では、入りタイマーがセットされたときには、そのときに設定されている空調モード、換気モード（空清モードを含む）での空調運転が開始される。
【００８３】
これと共に、エアコン１０では、入りタイマーがセットされると、コンプレッサー２６を用いた空調運転を停止する。したがって、エアコン１０では、入りタイマーがセットされると、コンプレッサー２６を停止し、自動モード、冷房モード、除湿モードでの空調運転を停止する。
【００８４】
一方、エアコン１０では、入りタイマーがセットされたときであっても、空清モード、換気モードでの運転／停止操作が可能となっており、これにより、入りタイマーがセットされて、空調運転を停止した状態であっても、被空調室内の換気や、被空調室内の空気の清浄が可能となるようにしている。
【００８５】
このように構成されているエアコン１０では、リモコンスイッチ１００が操作されることにより、空調運転の運転／停止が行われる。また、空調運転を行うときや空調運転中に、風向、風量等の運転条件や、設定温度等の設定条件（空調条件）が変更されたときには、変更された運転条件、設定条件などに基づいて空調運転を行う。
【００８６】
エアコン１０では、自動モード、冷房モード、除湿モード又は暖房モードなどが設定されることにより、コンプレッサー２６を駆動して、被空調室内の空調運転を行う。また、エアコン１０では、空清モードや吸気モード、排気モードなどの換気モードが設定されると、設定された換気モードでの運転を開始する。
【００８７】
このとき、エアコン１０では、冷媒を用いた空調運転と換気モードの運転が併せて設定されることにより、併用運転を行うようになっている。
【００８８】
これにより、例えば、換気モードとして、吸気モードが設定されると、エアコン１０では、換気ファン４６を駆動して外気を吸引し、吸引した外気を、熱交換機１８を通して被空調室内に吹出す。これにより、被空調室内に新鮮な外気が導入される。
【００８９】
また、排気モードが設定されると、エアコン１０では、換気ファン４６を駆動して、室内ユニット１２内に吸引した被空調室内の空気を換気ダクト５２及びベントキャップ５４を介して屋外に排出する。
【００９０】
エアコン１０によって空調される被空調室内は、換気が滞ることが多く、このために、被空調室内に在室している人が発する二酸化炭素（ＣＯ2）等の含有割合が増加することがある。このようなときに、エアコン１０を換気モード又は換気モードを併用して運転することにより、被空調室内を快適な空調状態とすることができる。
【００９１】
一方、エアコン１０に用いるリモコンスイッチ１００には、おしえてボタン１１８が設けられており、このおしえてボタン１１８を操作することにより、被空調室内の空調状態を確認することができる。
【００９２】
リモコンスイッチ１００では、おしえてボタン１１８が操作されると、室内ユニット１２のマイコン８０に空調状態の情報出力を要求する。すなわち、マイコン８０は、リモコンスイッチ１００からおしえてボタン１１８が操作された信号を受信すると、空調状態の情報出力が要求されたと判断する。
【００９３】
エアコン１０のマイコン８０は、各種のセンサによって室温、湿度等と共に、空気中の二酸化炭素濃度等の検出を行っている。また、エアコン１０の室外ユニット１４では、室外ユニット１４が設置されている屋外の温度（外気温度）を検出しており、この外気温度が、シリアル通信によって室内ユニット１２のマイコン８０に入力されるようになっている。
【００９４】
ここで、リモコンスイッチ１００のおしえてボタン１１８が操作されると、室内ユニット１２のマイコン８０は、空調状態の情報を運転情報として、例えば、外気温度、湿度等を出力（送信）する。また、換気ユニット（換気ファン４６）等が設けられているときには、被空調室内の二酸化炭素濃度を検出し、その検出結果を、リモコンスイッチ１００へ送信する。
【００９５】
リモコンスイッチ１００では、室内ユニット１２から送信された運転情報を受信すると、その運転情報をディスプレイ１０４に表示する。このときの運転情報の表示は、主にディスプレイ１０４上の表示エリア１０６に表示される。
【００９６】
図７及び図８には、このときのリモコンスイッチ１００の表示エリア１０６の表示の変化の一例を示している。なお、おしえてボタン１１８は、エアコン１０が空調モードでの運転ないし換気モードでの運転中にのみ有効となるようにしており、図７及び図８では、暖房モードで空調運転を行っているときの表示例を示している。
【００９７】
図７（Ａ）には、暖房モードで運転中の表示エリア１０６の表示を示しており、エアコン１０に用いているリモコン１００では、運転モードと現在時刻を表示エリア１０６に表示する。
【００９８】
ここで、おしえてボタン１１８が操作されると、表示エリア１０６の表示は、図７（Ｂ）に示す状態に切り換わる。すなわち、リモコンスイッチ１００は、おしえてボタン１１８が操作されることにより、室内ユニット１２から送信される運転情報の受信状態に移行したことを表示エリア１０６に表示する。
【００９９】
この後、リモコンスイッチ１００では、表示エリア１０６の表示を図７（Ｃ）、図７（Ｄ）及び図７（Ｅ）に示す表示に順に切換える。すなわち、リモコンスイッチ１００では、受信中ないし受信待機中に、予め設定されているキャラクタを表示エリア１０６に表示する。
【０１００】
したがって、リモコンスイッチ１００では、おしえてボタン１１８が操作されると、図７（Ｂ）、図７（Ｃ）、図７（Ｄ）、図７（Ｅ）と、表示エリア１０６の表示を、所定の時間間隔（例えば１秒程度などの予め設定されている時間間隔）で順に切換える。
【０１０１】
ここで、所定時間経過しても、室内ユニット１２から送信されるはずの運転情報を受信しなかったときには、図７（Ｆ）の表示を行い、必要があればおしえてボタン１１８の再度の操作を要求し、この後に、図７（Ａ）に示す通常表示に戻る。
【０１０２】
これに対して、受信待機中（図７（Ｂ）〜図７（Ｅ）の何れかの表示状態）で、室内ユニット１２から送信された運転情報を受信（運転情報の受信に成功）すると、受信した運転情報の表示に移行する。
【０１０３】
運転情報の表示は、先ず、図７（Ｇ）に示すように、外気温度を所定時間（例えば３秒程度の予め設定されている時間）表示すると、次に、図７（Ｈ）に示すように被空調室内の湿度を所定時間表示する。
【０１０４】
なお、運転情報として室内温度を表示しても良いが、リモコンスイッチ１００では、通常、ディスプレイ１０４に室温を表示しているので、表示エリア１０６での室温表示を省略している。
【０１０５】
リモコンスイッチ１００では、外気温度及び被空調室内の湿度の表示を終了すると、換気状態を表示エリア１０６に表示する。図８（Ａ）〜図８（Ｈ）には、換気状態の表示例を示している。リモコンスイッチ１００では、外気温度、湿度の表示が終了すると、先ず、換気運転の状態を表示する。
【０１０６】
このとき、吸気モードと排気モードを併用した換気モードであるときには、図８（Ａ）に示す表示と、図８（Ｂ）に示す表示を、所定の時間間隔で切換えながら、複数回（又は所定時間）表示する。
【０１０７】
また、排気モードで運転しているときには、図８（Ｃ）に示す表示を、表示エリア１０６に所定時間表示し、吸気モードで運転しているときには、図８（Ｄ）に示す表示を、表示エリア１０６に所定時間表示する。なお、換気運転を行っていないときには、例えば、図８（Ｅ）に示す表示などを、表示エリア１０６に所定時間表示して、換気運転停止中であることを明確とする。
【０１０８】
このようにして、換気運転の状態を表示すると、次に、被空調室内の換気状態として、二酸化炭素濃度の表示を行う。
【０１０９】
二酸化炭素濃度の表示は、例えば、高い（濃い）、普通（標準）、低い（薄い）の三段階などの予め設定している段階に分けて表示する。
【０１１０】
ここで、二酸化炭素濃度が高いときには、図８（Ｆ）に示す表示を、表示エリア１０６に表示する。また、二酸化炭素濃度が標準値であるときには、図８（Ｇ）に示す表示を表示エリア１０６に行い、二酸化炭素濃度が低いときには、図８（Ｈ）に示す表示を、表示エリア１０６に表示する。なお、二酸化炭素濃度が不明のときや、この情報が送信されないときには、その情報の表示を行わずに、次の表示又は通常の表示状態に戻る。
【０１１１】
このように、二酸化炭素濃度に応じたキャラクタを表示することにより、被空調室内の換気状態を明確にすることができ、また、二酸化炭素濃度が比較的高いときには、有効に被空調室内の換気を促すことができる。
【０１１２】
すなわち、二酸化炭素濃度を数値で示しても、被空調室内が好ましい換気状態であるかを判断することは難しいが、換気状態に応じたキャラクタを用いることにより、換気状態の的確な把握を可能とし、必要に応じて換気を促すことができる。
【０１１３】
このように、リモコンスイッチ１００では、注意や興味を引かせたり、見る人に愛嬌を感じさせたり、親近感を感じさせるキャラクタを用いたり、動画調に表示することにより、運転状態を表示するまでの待ち時間を長く感じさせたり、待ち時間の間に運転情報の表示に興味を感じなくなってしまうのを防止することができる。
【０１１４】
また、表示する内容に応じて設定しているキャラクタを用いることにより、被空調室内に在室する人に表示内容を的確に伝えることが可能となる。
【０１１５】
ところで、エアコン１０では、このワイヤレス式のリモコンスイッチを用いて、入りタイマーないし切りタイマー等のタイマー設定を行うことができる。タイマー設定を行うときには、リモコンスイッチ１００の操作カバーを開け、入りタイマーボタン１４０又は切りタイマーボタン１４２を操作して行う。また、入りタイマーを設定するときには、時刻設定と共に、そのときの運転モード、運転条件等の設定を行う。
【０１１６】
これにより、エアコン１０では、入りタイマーが設定されると、そのときの運転モード及び設定を記憶して空調運転を停止した後、設定された時刻に、設定された空調条件（記憶されている設定）となるように空調運転を開始する。また、エアコン１０は、切りタイマーがセットされると、空調運転を継続し、設定された時刻に換気運転を含む空調運転を停止する。
【０１１７】
ここで、図９乃至図１１を参照しながら、エアコン１０のタイマー運転を説明する。エアコン１０では、リモコンスイッチ１００を用いて、空調運転を行うときの運転モードと、換気運転を行うときの運転モードを設定することができ、空調運転の運転を停止した状態であっても、換気運転を行うときの運転モードを設定することにより、設定した換気モードでの換気運転を行うことが可能となっている。
【０１１８】
図９のフローチャートは、エアコン１０の運転中に実行され、最初のステップ２００では、タイマー運転中か否か、すなわち、入りタイマー又は切りタイマーがセットされたタイマー予約がなされた状態で運転しているか否かを確認する。なお、エアコン１０では、タイマー予約がなされることにより運転状態（運転可能な状態）となっているので、入りタイマー予約中も運転状態としている。
【０１１９】
ここで、タイマー予約がなされていないときには、ステップ２００で否定判定してステップ２０２へ移行し、現在の運転状態を継続する。すなわち、空調モードが設定された空調モードでの運転を継続し、また、換気モードが設定されているときには、設定された換気モードでの運転を継続する。さらに、空調モードと換気モードが併せて設定されているときには、空調モードと換気モードの併用運転を継続する。
【０１２０】
これに対して、タイマー予約がなされると、ステップ２００で肯定判定してステップ２０４へ移行する。このステップ２０４では、入りタイマーがセットされているか否かを確認する。
【０１２１】
このときに、切りタイマーがセットされているときには、ステップ２０４で否定判定して、ステップ２０６へ移行する。このステップ２０６では、タイムアップしたか否か、すなわち、切りタイマーの設定時刻になったか否かを確認する。
【０１２２】
これにより、切りタイマーの設定時刻になっていないときには、ステップ２０６で否定判定して、ステップ２０２へ移行し、空調運転を継続する。
【０１２３】
これに対して、切りタイマーの設定時刻になると、ステップ２０６で肯定判定してステップ２０８へ移行する。このステップ２０８では、換気モードを含めたエアコン１０の運転を停止する。
【０１２４】
これにより、エアコン１０は、切りタイマーがセットされているときには、設定時刻に運転を停止する。
【０１２５】
一方、入りタイマーがセットされているときには、ステップ２０４で肯定判定してステップ２１０へ移行する。このステップ２１０では、タイムアップしたか否か、すなわち、入りタイマーの設定時刻になったか否かを確認する。
【０１２６】
ここで、入りタイマーの設定時刻に達したときには、ステップ２１０で肯定判定してステップ２１２へ移行し、設定されている運転モード及び運転条件での空調運転を開始する。なお、このタイムアップ時刻は、室温と設定条件及びエアコン１０の空調能力から、設定時刻に設定されている空調状態（例えば室温が設定温度）に達するようにするものであっても良いが、設定時刻をそのまま運転開始時刻としても良い。
【０１２７】
これに対して、入りタイマーがセットされたタイマー予約中で、設定時刻に達していないときには、ステップ２１０で否定判定してステップ２１４へ移行する。このステップ２１４では、換気運転又は空清運転を行っているか否かを確認する。
【０１２８】
すなわち、エアコン１０では、入りタイマーがセットされると、コンプレッサー２６を用いた自動モード、冷房モード、除湿モード又は暖房モードでの運転を停止しており、換気モード又は空清モードでの運転が可能となっている。
【０１２９】
ここで、換気モード又は空清モードでの運転を停止しているときには、ステップ２１４で否定判定して、そのまま、タイムアップするまでは、運転停止状態を継続するが、換気モード又は空清モードでの運転が設定されていると、ステップ２１４で肯定判定してステップ２１６へ移行し、換気モード又は空清モードでの運転を継続する。
【０１３０】
このようにして、タイマー予約に基づいた運転処理を行うことにより、例えば、図１０（Ａ）に示すように、切りタイマーのみがセットされた切りタイマー予約で運転しているときには、切りタイマーがタイムアップするまでは、空調運転が行われると共に、空清運転及び換気運転の何れも可能であるが、切りタイマーがタイムアップすることにより、エアコン１０の空調運転と共に、空清運転及び換気運転も停止する。
【０１３１】
また、図１０（Ｂ）に示すように、切りタイマーと入りタイマーがその順でセットされた切りタイマー／入りタイマー予約が行われていると、切りタイマーがタイムアップすることにより、空調運転、空清運転及び換気運転の何れも停止するが、入りタイマーがタイムアップすることにより、空調運転が開始されると、入りタイマーの設定に基づいて、空清運転及び換気運転も可能となる。
【０１３２】
これに対して、入りタイマーがセットされた入りタイマー予約がなされているときには、図１１（Ａ）に示すように、入りタイマーがタイムアップするまでは、空調運転は停止するが、空清運転及び換気運転が可能となっている。また、入りタイマーがタイムアップすることにより、空調運転が開始されると共に、空清運転及び換気運転が引き続き運転可能となっている。
【０１３３】
また、図１１（Ｂ）に示すように、入りタイマーと切りタイマーがその順でセットされた入りタイマー／切りタイマー予約が行われていると、切りタイマーがタイムアップすることにより、空調運転、空清運転及び換気運転の何れも停止する。しかし、入りタイマーがタイムアップするまでの間でも、空清運転及び換気運転が可能となっており、これにより、空清運転及び換気運転は、切りタイマーがタイムアップするまで、継続して運転可能となっている。
【０１３４】
したがって、入りタイマーを用いたタイマー予約中であっても、被空調室内の換気や、空気の浄化が可能となり、タイマー予約によって運転を開始したときに、被空調室内を快適な空調状態とすることができる。
【０１３５】
なお、以上説明した本実施の形態は、本発明の構成を限定するものではない。例えば、本実施の形態では、コンプレッサー２６を用いた空調運転モードに加えて、コンプレッサー２６を停止した空清モードでの運転及び換気モードでの運転が可能なエアコン１０を例に説明したが、本発明は、空清モード又は換気モードの何れか少なくとも一方などのコンプレッサー２６を停止した運転モードでの運転を備えたものであれば良く、このときに、入りタイマーがセットされたときにも、空調モード以外での運転が可能となるようにすればよい。
【０１３６】
また、本実施の形態では、室内ユニット１２と室外ユニット１４を用いた壁掛けタイプのエアコン１０を例に説明したが、本発明は、天井埋め込みタイプ、壁埋め込みタイプなど、ワイヤレス方式のリモコンスイッチによって運転／停止、運転条件の設定と共に、タイマー設定が可能と任意の構成の空気調和機に適用することができる。
【図面の簡単な説明】
【０１３７】
【図１】本実施の形態に適用したエアコンの概略構成を示す要部斜視図である。
【図２】エアコンの冷凍サイクルを示す概略構成図である。
【図３】（Ａ）室内ユニットの要部を被空調室側から見た概略斜視図、（Ｂ）は室内ユニットの要部を屋外側から見た概略斜視図である。
【図４】（Ａ）及び（Ｂ）は換気モードでの運転を示す室内ユニットの概略構成図であり、（Ａ）は吸気モードを示し、（Ｂ）は排気モードを示している。
【図５】室内ユニットの制御部の概略構成を示すブロック図である。
【図６】（Ａ）及び（Ｂ）はリモコンスイッチの一例を示す概略図であり、（Ａ）は操作カバーを閉じた状態を示し、（Ｂ）は操作カバーを開いた状態を示している。
【図７】（Ａ）乃至（Ｈ）は表示エリアの表示例を示す概略図であり、（Ａ）は通常運転状態を示し、（Ｂ）から（Ｆ）はおしえたボタンを操作した後の表示の変化を示し、（Ｇ）及び（Ｈ）は運転状態の表示例を示している。
【図８】（Ａ）乃至（Ｈ）は表示エリアの表示例を示す概略図であり、（Ａ）から（Ｅ）は換気運転に応じた表示を示し、（Ｆ）から（Ｈ）は、換気状態に応じた表示例として二酸化炭素の濃度に応じた表示を示している。
【図９】エアコンのタイマー予約を含めた運転処理の概略を示す流れ図である。
【図１０】（Ａ）及び（Ｂ）は、空調運転、空清運転及び換気運転の運転／停止を示すタイミングチャートであり、（Ａ）は切りタイマー予約を示し、（Ｂ）は切りタイマー／入りタイマー予約を示している。
【図１１】（Ａ）及び（Ｂ）は、空調運転、空清運転及び換気運転の運転／停止を示すタイミングチャートであり、（Ａ）は入りタイマー予約を示し、（Ｂ）は入りタイマー／切りタイマー予約を示している。
【符号の説明】
【０１３８】
１０    エアコン（空気調和機）
１２    室内ユニット
１４    室外ユニット
１８    熱交換器
２６    コンプレッサー
４６    換気ファン（換気手段）
５２    換気ダクト（換気手段）
５４    ベントキャップ（換気手段）
６０    制御部
８０    マイコン（タイマー予約手段、予約制御手段）
９０    送受信回路
１００    リモコンスイッチ（タイマー予約手段、予約制御手段）
１０４    ディスプレイ
１０６    表示エリア
１１０    換気ボタン
１１６    ＵＶ空清ボタン
１２４    ＵＶユニット（空清手段）
１２６    空清フィルタ（空清手段）
１２８    運転切換えボタン
１３０    換気切換えボタン
１４０    入りタイマーボタン（タイマー予約手段）
１４２    切りタイマーボタン（タイマー予約手段）
【図１】
2005233539.tif 000003
【図２】
2005233539.tif 000004
【図３】
2005233539.tif 000005
【図４】
2005233539.tif 000006
【図５】
2005233539.tif 000007
【図６】
2005233539.tif 000008
【図７】
2005233539.tif 000009
【図８】
2005233539.tif 000010
【図９】
2005233539.tif 000011
【図１０】
2005233539.tif 000012
【図１１】
2005233539.tif 000013